【手続補正書】
【提出日】平成16年1月15日(2004.1.15)
【手続補正１】
【補正対象書類名】明細書
【補正対象項目名】特許請求の範囲
【補正方法】変更
【補正の内容】
【特許請求の範囲】
【請求項１】
機械的エネルギ源と、前記機械的エネルギ源によって駆動されて誘起電力を発生して電気的エネルギを供給する発電機と、前記電気的エネルギにより駆動されて前記発電機の回転周期を制御する回転制御装置とを備える電子機器であって、
前記回転制御装置は、
前記発電機の両端を閉ループ状態に接続可能なスイッチと、
前記スイッチに印加してブレーキ制御を行うためのチョッピング信号を発生するチョッピング信号発生部と、
前記チョッピング信号の印加によるブレーキ実効値が大きな強ブレーキ制御と、ブレーキ実効値が強ブレーキ制御よりも小さな中間ブレーキ制御と、ブレーキ実効値が中間ブレーキ制御よりも小さな弱ブレーキ制御との少なくとも３種類の制御を切り替えて実行することで前記発電機をチョッピング制御する制動制御部と、
を備えて構成されていることを特徴とする電子機器。
【請求項２】
請求項１に記載の電子機器において、
前記チョッピング信号発生部は、デューティ比および周波数の少なくとも一方が互いに相違してスイッチに印加した際のブレーキ実効値が異なる少なくとも３種類のチョッピング信号を発生可能に構成され、
前記制動制御部は、これらの少なくとも３種類のチョッピング信号から１つのチョッピング信号を選択して前記スイッチに印加するチョッピング信号選択手段を備えていることを特徴とする電子機器。
【請求項３】
請求項１または請求項２に記載の電子機器において、
前記中間ブレーキ制御は、弱ブレーキ制御から強ブレーキ制御に切り替えられる過渡期に行われることを特徴とする電子機器。
【請求項４】
請求項１または請求項２に記載の電子機器において、
前記中間ブレーキ制御は、強ブレーキ制御から弱ブレーキ制御に切り替えられる過渡期に行われることを特徴とする電子機器。
【請求項５】
請求項１または請求項２に記載の電子機器において、
前記中間ブレーキ制御は、弱ブレーキ制御から強ブレーキ制御に切り替えられる過渡期と、強ブレーキ制御から弱ブレーキ制御に切り替えられる過渡期との両方で行われることを特徴とする電子機器。
【請求項６】
機械的エネルギ源と、前記機械的エネルギ源によって駆動されて誘起電力を発生して電気的エネルギを供給する発電機と、前記電気的エネルギにより駆動されて前記発電機の回転周期を制御する回転制御装置とを備える電子機器であって、
前記回転制御装置は、
前記発電機の両端を閉ループ状態に接続可能なスイッチと、
前記スイッチに印加してブレーキ制御を行うためのチョッピング信号を発生するチョッピング信号発生部と、
前記チョッピング信号の印加によるブレーキの実効値を、徐々に増加させる強ブレーキ制御と、徐々に減少させる弱ブレーキ制御とを切り替えて実行することで、前記発電機をチョッピング制御する制動制御部と、
を備えて構成されていることを特徴とする電子機器。
【請求項７】
請求項６に記載の電子機器において、
前記チョッピング信号発生部は、デューティ比および周波数の少なくとも一方が互いに相違してスイッチに印加した際のブレーキ実効値が異なる複数種類のチョッピング信号を発生可能に構成され、
前記制動制御部は、これらの複数のチョッピング信号から１つのチョッピング信号を順次選択して前記スイッチに印加するチョッピング信号選択手段を備えていることを特徴とする電子機器。
【請求項８】
請求項６または請求項７に記載の電子機器において、
前記強ブレーキ制御は、弱ブレーキ制御から強ブレーキ制御に切り替えられた際には、所定の大きさのブレーキ実効値とされ、その後、ブレーキ力をこのブレーキ実効値から徐々に増加させるように制御されることを特徴とする電子機器。
【請求項９】
請求項６〜８のいずれかに記載の電子機器において、
前記弱ブレーキ制御は、強ブレーキ制御から弱ブレーキ制御に切り替えられた際には、所定の大きさのブレーキ実効値とされ、その後、ブレーキ力をこのブレーキ実効値から徐々に減少させるように制御されることを特徴とする電子機器。
【請求項１０】
請求項８または請求項９に記載の電子機器において、
前記所定の大きさのブレーキ実効値は、その制御に切り替えられる直前に印加されたブレーキ実効値を基準に設定される値であることを特徴とする電子機器。
【請求項１１】
機械的エネルギ源と、前記機械的エネルギ源によって駆動されて誘起電力を発生して電気的エネルギを供給する発電機と、前記電気的エネルギにより駆動されて前記発電機の回転周期を制御する回転制御装置とを備える電子機器であって、
前記回転制御装置は、
前記発電機の両端を閉ループ状態に接続可能なスイッチと、
前記スイッチに印加してブレーキ制御を行うためのチョッピング信号を発生するチョッピング信号発生部と、
前記チョッピング信号の印加によるブレーキ実効値が大きな強ブレーキ制御と、ブレーキ実効値が強ブレーキ制御よりも小さな弱ブレーキ制御との少なくとも２種類の制御を切り替えて実行することで、前記発電機をチョッピング制御可能に構成され、かつ前記強ブレーキ制御および弱ブレーキ制御の少なくとも一方は、そのブレーキ力が徐々に変化するように制御する制動制御部と、
を備えて構成されていることを特徴とする電子機器。
【請求項１２】
請求項１１に記載の電子機器において、
前記徐々に変化するブレーキは所定の大きさから開始されることを特徴とする電子機器。
【請求項１３】
機械的エネルギ源と、前記機械的エネルギ源によって駆動されて誘起電力を発生して電気的エネルギを供給する発電機と、前記電気的エネルギにより駆動されて前記発電機の回転周期を制御する回転制御装置と、前記発電機の回転に連動して作動される時刻表示装置とを備える電子制御式機械時計であって、
前記回転制御装置は、
前記発電機の両端を閉ループ状態に接続可能なスイッチと、
前記スイッチに印加してブレーキ制御を行うためのチョッピング信号を発生するチョッピング信号発生部と、
前記チョッピング信号の印加によるブレーキ実効値が大きな強ブレーキ制御と、ブレーキ実効値が強ブレーキ制御よりも小さな中間ブレーキ制御と、ブレーキ実効値が中間ブレーキ制御よりも小さな弱ブレーキ制御との少なくとも３種類の制御を切り替えて実行することで、前記発電機をチョッピング制御する制動制御部と、
を備えて構成されていることを特徴とする電子制御式機械時計。
【請求項１４】
機械的エネルギ源と、前記機械的エネルギ源によって駆動されて誘起電力を発生して電気的エネルギを供給する発電機と、前記電気的エネルギにより駆動されて前記発電機の回転周期を制御する回転制御装置と、前記発電機の回転に連動して作動される時刻表示装置とを備える電子制御式機械時計であって、
前記回転制御装置は、
前記発電機の両端を閉ループ状態に接続可能なスイッチと、
前記スイッチに印加してブレーキ制御を行うためのチョッピング信号を発生するチョッピング信号発生部と、
前記チョッピング信号の印加によるブレーキの実効値を、徐々に増加させる強ブレーキ制御と、徐々に減少させる弱ブレーキ制御とを切り替えて実行することで、前記発電機をチョッピング制御する制動制御部と、
を備えて構成されていることを特徴とする電子制御式機械時計。
【請求項１５】
機械的エネルギ源と、前記機械的エネルギ源によって駆動されて誘起電力を発生して電気的エネルギを供給する発電機と、前記電気的エネルギにより駆動されて前記発電機の回転周期を制御する回転制御装置と、前記発電機の回転に連動して作動される時刻表示装置とを備える電子制御式機械時計であって、
前記回転制御装置は、
前記発電機の両端を閉ループ状態に接続可能なスイッチと、
前記スイッチに印加してブレーキ制御を行うためのチョッピング信号を発生するチョッピング信号発生部と、
前記チョッピング信号の印加によるブレーキ実効値が大きな強ブレーキ制御と、ブレーキ実効値が強ブレーキ制御よりも小さな弱ブレーキ制御との少なくとも２種類の制御を切り替えて実行することで、前記発電機をチョッピング制御可能に構成され、かつ前記強ブレーキ制御および弱ブレーキ制御の少なくとも一方は、そのブレーキ力が徐々に変化するように制御する制動制御部と、
を備えて構成されていることを特徴とする電子制御式機械時計。
【請求項１６】
機械的エネルギ源と、前記機械的エネルギ源によって駆動されて誘起電力を発生して電気的エネルギを供給する発電機と、前記電気的エネルギにより駆動されて前記発電機の回転周期を制御する回転制御装置とを備える電子機器の制御方法であって、
前記発電機の両端を閉ループ状態に接続可能なスイッチにチョッピング信号を印加してブレーキ制御を行うとともに、前記チョッピング信号の印加によるブレーキ実効値が大きな強ブレーキ制御と、ブレーキ実効値が強ブレーキ制御よりも小さな中間ブレーキ制御と、ブレーキ実効値が中間ブレーキ制御よりも小さな弱ブレーキ制御との少なくとも３種類の制御を切り替えて実行することで、前記発電機をチョッピング制御することを特徴とする電子機器の制御方法。
【請求項１７】
機械的エネルギ源と、前記機械的エネルギ源によって駆動されて誘起電力を発生して電気的エネルギを供給する発電機と、前記電気的エネルギにより駆動されて前記発電機の回転周期を制御する回転制御装置とを備える電子機器の制御方法であって、
前記発電機の両端を閉ループ状態に接続可能なスイッチにチョッピング信号を印加してブレーキ制御を行うとともに、前記チョッピング信号の印加によるブレーキの実効値を、徐々に増加させる強ブレーキ制御と、徐々に減少させる弱ブレーキ制御とを切り替えて実行することで、前記発電機をチョッピング制御することを特徴とする電子機器の制御方法。
【請求項１８】
機械的エネルギ源と、前記機械的エネルギ源によって駆動されて誘起電力を発生して電気的エネルギを供給する発電機と、前記電気的エネルギにより駆動されて前記発電機の回転周期を制御する回転制御装置とを備える電子機器の制御方法であって、
前記発電機の両端を閉ループ状態に接続可能なスイッチにチョッピング信号を印加してブレーキ制御を行うとともに、前記チョッピング信号の印加によるブレーキ実効値が大きな強ブレーキ制御と、ブレーキ実効値が強ブレーキ制御よりも小さな弱ブレーキ制御との少なくとも２種類の制御を切り替えて実行することで、前記発電機をチョッピング制御するとともに、前記強ブレーキ制御および弱ブレーキ制御の少なくとも一方はそのブレーキ力が徐々に変化するように制御することを特徴とする電子機器の制御方法。
【手続補正２】
【補正対象書類名】明細書
【補正対象項目名】００４５
【補正方法】変更
【補正の内容】
【００４５】
さらに、本発明の電子機器の制御方法は、機械的エネルギ源と、前記機械的エネルギ源によって駆動されて誘起電力を発生して電気的エネルギを供給する発電機と、前記電気的エネルギにより駆動されて前記発電機の回転周期を制御する回転制御装置とを備える電子機器の制御方法であって、前記発電機の両端を閉ループ状態に接続可能なスイッチにチョッピング信号を印加してブレーキ制御を行うとともに、前記チョッピング信号の印加によるブレーキ実効値が大きな強ブレーキ制御と、ブレーキ実効値が強ブレーキ制御よりも小さな弱ブレーキ制御との少なくとも２種類の制御を切り替えて実行することで、前記発電機をチョッピング制御するとともに、前記強ブレーキ制御および弱ブレーキ制御の少なくとも一方はそのブレーキ力が徐々に変化するように制御することを特徴とするものでもよい。


【手続補正３】
【補正対象書類名】明細書
【補正対象項目名】０１０５
【補正方法】変更
【補正の内容】
【０１０５】
(12)初期化回路９０を設けて、発電機２０の起動時の電源回路４０が所定の電圧に充電されるまではブレーキ制御を行わず、発電機２０にブレーキが掛からないようにしているので、電源回路４０への充電を優先させることができ、電源回路４０によって駆動される回転制御装置５０を迅速にかつ安定して駆動することができ、その後の回転制御の安定性も高めることができる。


【手続補正４】
【補正対象書類名】明細書
【補正対象項目名】０１４８
【補正方法】変更
【補正の内容】
【０１４８】
また、本発明は、前記実施形態のような電子制御式機械時計に適用するものに限らず、各種腕時計、置き時計、クロック等の各種時計、携帯型時計、携帯型の血圧計、携帯電話機、ＰＨＳ、ページャ、歩数計、電卓、携帯用パーソナルコンピュータ、電子手帳、ＰＤＡ（小型情報端末、「Personal Digital Assistant」）、携帯ラジオ、玩具、オルゴール、メトロノーム、電気かみそり等にも適用することができる。特に、本発明では、発電機の回転速度を一定速度に効率的に制御でき、かつ発電電圧も一定以上に維持することができるため、各種電子機器を安定してかつ長時間作動させることができる。このような電子機器としては、建物やビル内に設置されるものでもよいが、特に本発明はゼンマイ等の機械的エネルギ源を用いており、外部電源を必要としないため、屋外等で使用する携帯機器に適している。